【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  潜像担持体上に形成された潜像を、現像剤担持体に担持搬送された現像剤により現像し可視像化する現像装置に用いられる、円筒状若しくは円柱状の基体表面に樹脂被覆層を有する現像剤担持体において、該樹脂被覆層が、少なくとも結着樹脂及び黒鉛粒子を含有し、且つ下記式（１）で計算された該樹脂被覆層表面の表面皮膜物性試験におけるユニバーサル硬さ測定値ＨＵの硬度分布から求められる平均値Ａ及び標準偏差σが、それぞれ１００≦Ａ≦８００［Ｎ／ｍｍ2］及び３０≦σ≦９０［Ｎ／ｍｍ2］であることを特徴とする現像剤担持体。
ユニバーサル硬さ値ＨＵ＝Ｋ×Ｆ／ｈ2［Ｎ／ｍｍ2］    （１）
［式中、Ｋは定数、Ｆは試験荷重（Ｎ）、ｈは圧子の最大押し込み深さ（ｍｍ）を表す。］
【請求項２】  前記黒鉛粒子が、メソカーボンマイクロビーズ粒子を黒鉛化して得られたものを少なくとも含有する請求項１に記載の現像剤担持体。
【請求項３】  前記黒鉛粒子が、バルクメソフェーズピッチ粒子を黒鉛化して得られたものを少なくとも含有する請求項１に記載の現像剤担持体。
【請求項４】  前記黒鉛粒子の個数平均粒径が、０．５〜２５μｍである請求項１乃至３の何れか１項に記載の現像剤担持体。
【請求項５】  前記樹脂被覆層表面のユニバーサル硬さ測定値ＨＵの硬度分布から求められる平均値Ａ及び標準偏差σが、それぞれ２００≦Ａ≦７００［Ｎ／ｍｍ2］及び３０≦σ≦９０［Ｎ／ｍｍ2］である請求項１乃至４の何れか１項に記載の現像剤担持体。
【請求項６】  前記樹脂被覆層が、前記黒鉛粒子に加えて、カーボンブラック、金属、及び金属酸化物から選ばれる少なくとも１種の導電剤を更に含有している請求項１乃至５の何れか１項に記載の現像剤担持体。
【請求項７】  前記樹脂被覆層が、前記黒鉛粒子に加えて、固体潤滑剤を更に含有している請求項１乃至６の何れか１項に記載の現像剤担持体。
【請求項８】  前記樹脂被覆層が、前記黒鉛粒子に加えて、該被覆層表面に凹凸を形成するための球状粒子を更に含有している請求項１乃至７の何れか１項に記載の現像剤担持体。
【請求項９】  前記樹脂被覆層が、１０-2〜１０5Ω・ｃｍの体積抵抗を有する導電性被覆層である請求項１乃至８の何れか１項に記載の現像剤担持体。
【請求項１０】  前記樹脂被覆層が、ＪＩＳ−Ｂ０６０１で０．３〜３．５μｍの算術表面粗さＲａを有している請求項１乃至９の何れか１項に記載の現像剤担持体。
【請求項１１】  現像剤を収容する現像容器と、該現像容器に収容された現像剤を担持し、且つ現像領域へ該現像剤を搬送するための現像剤担持体を有する現像装置において、該現像剤担持体が、請求項１乃至１０の何れか１項に記載の現像剤担持体であることを特徴とする現像装置。
【請求項１２】  前記現像装置が、前記現像剤担持体上に前記現像剤の層を形成するための現像剤層厚規制部材を更に有している請求項１１に記載の現像装置。
【請求項１３】  前記現像剤層厚規制部材が、磁性規制ブレードである請求項１２に記載の現像装置。
【請求項１４】  前記現像剤層厚規制部材が、前記現像剤担持体に前記現像剤を介して弾性的に圧接されている請求項１２に記載の現像装置。
【請求項１５】  前記現像剤層厚規制部材が、弾性規制部材である請求項１４に記載の現像装置。
【請求項１６】  前記現像剤が、磁性トナーを含む磁性一成分系現像剤である請求項１１乃至１５の何れか１項に記載の現像装置。
【請求項１７】  前記現像剤が、非磁性トナーを含む非磁性一成分系現像剤である請求項１１、１２、１４又は１５の何れか１項に記載の現像装置。
【請求項１８】  前記現像剤が、トナー及びキャリアを含む二成分系現像剤である請求項１１乃至１５の何れか１項に記載の現像装置。
【請求項１９】  前記現像装置が、前記現像領域で振動電界を形成するための手段を有する電源を更に有している請求項１１乃至１８の何れか１項に記載の現像装置。
【請求項２０】  前記電源が、前記現像剤担持体に交番バイアス電圧を印加するためのものである請求項１９に記載の現像装置。
【請求項２１】  前記現像剤担持体の表面に形成する前記現像剤の層厚が、前記現像領域を形成するための潜像担持体と該現像剤担持体との間の最小間隙よりも薄い請求項１１乃至１８の何れか１項に記載の現像装置。
【請求項２２】  前記現像装置が、前記現像領域で振動電界を形成するための手段を有する電源を更に有しており、前記現像剤担持体の表面に形成する前記現像剤の層厚は、該現像領域を形成するための静電潜像保持体と該現像剤担持体との間の最小間隙よりも薄い請求項１１乃至１８の何れか１項に記載の現像装置。
【請求項２３】  画像形成装置本体に脱着可能なプロセスカートリッジにおいて、該プロセスカートリッジが、（ｉ）静電潜像を担持するための潜像担持体、及び（ii）該静電潜像を現像領域で現像剤によって現像し、現像画像を形成するための現像手段を少なくとも一体的に有しており、該現像手段は、現像剤を収容する現像剤容器、及び該現像剤容器内に収容されている現像剤を担持し、且つ該現像剤を現像領域へ搬送するための現像剤担持体を有しており、該現像剤担持体が、請求項１乃至１０の何れか１項に記載の現像剤担持体であることを特徴とするプロセスカートリッジ。
【請求項２４】  前記潜像担持体が、電子写真用感光体である請求項２３に記載のプロセスカートリッジ。
【請求項２５】  前記プロセスカートリッジが、前記現像剤担持体上に現像剤の層を形成するための現像剤層厚規制部材を更に有している請求項２３又は２４に記載のプロセスカートリッジ。
【請求項２６】  前記現像剤層厚規制部材が、磁性規制ブレードである請求項２５に記載のプロセスカートリッジ。
【請求項２７】  前記現像剤層厚規制部材が、前記現像剤担持体に前記現像剤を介して弾性的に圧接されている請求項２５に記載のプロセスカートリッジ。
【請求項２８】  前記現像剤層厚規制部材が、弾性規制部材である請求項２７に記載のプロセスカートリッジ。
【請求項２９】  前記現像剤が、磁性トナーを含む磁性一成分系現像剤である請求項２３乃至２８の何れか１項に記載のプロセスカートリッジ。
【請求項３０】  前記現像剤が、非磁性トナーを含む非磁性一成分系現像剤である請求項２３乃至２５、２７又は２８の何れか１項に記載のプロセスカートリッジ。
【請求項３１】  前記現像剤が、トナー及びキャリアを含む二成分系現像剤である請求項２３乃至２８の何れか１項に記載のプロセスカートリッジ。
【手続補正２】
【補正対象書類名】明細書
【補正対象項目名】００１５
【補正方法】変更
【補正の内容】
【００１５】
【課題を解決するための手段】
上記目的は以下の本発明によって達成される。即ち、本発明は、潜像担持体（以下「感光ドラム」ということがある）上に形成された潜像を、現像剤担持体に担持搬送された現像剤により現像し可視像化する現像装置に用いられる、円筒状若しくは円柱状の基体表面に樹脂被覆層を有する現像剤担持体において、該樹脂被覆層が、少なくとも結着樹脂及び黒鉛粒子を含有し、且つ下記式（１）で計算された該樹脂被覆層表面の表面皮膜物性試験におけるユニバーサル硬さ測定値ＨＵの硬度分布から求められる平均値Ａ及び標準偏差σが、それぞれ１００≦Ａ≦８００［Ｎ／ｍｍ2］及び３０≦σ≦９０［Ｎ／ｍｍ2］であることを特徴とする現像剤担持体（以下「現像スリーブ」という場合がある）を提供する。
ユニバーサル硬さ値ＨＵ＝Ｋ×Ｆ／ｈ2［Ｎ／ｍｍ2］  （１）
［式中、Ｋは定数、Ｆは試験荷重（Ｎ）、ｈは圧子の最大押し込み深さ（ｍｍ）を表す。］